(57)【要約】　　　（修正有）【課題】ミル伝動器、少なくとも一つのボトル及びボトルラックからなるグラインダセットを提供する。【解決手段】ミル伝動器２、少なくとも一つのボトル３及びボトルラックを設け、ボトル３に粒材料（粒状香料、粒胡椒或いはコーヒー豆等）を収容し、またミル伝動器２と接続してグラインダを形成して使用に供し、ボトルラックはボトル３の配置に供する。このようにして、粒材料の種類に応じて粒材料を異なるボトル内に別々に装填でき、簡易に持ち取れるボトル３とミル伝動器２を瞬時に組み合わせて破砕を行うことにより、調理者が必要とする調味料を即座に得ることができる。【選択図】　　　　図２
0003097607.tif 000002
【実用新案登録請求の範囲】
【請求項１】
ミル伝動器を有し、ミル伝動器底部内側に凹部を設け、凹部中心に突出して伝動軸コネクタを設け、
少なくとも一つのボトルを有し、粒材料を収容するとともにミル伝動器と接続してグラインダを形成して使用に供し、ボトル内に容室とミルを設け、ミルから上向きに回転軸を伸ばし、回転軸はミル伝動器の伝動軸コネクタと接続してミル伝動器による回転動作を受け、
ボトルラックを有し、ボトルを置くものとし、ボトルを置ける受け部を若干設置し、ボトルラックの底面には受け部の裏側にあたる位置にくぼみを若干設け、これにより、粒材料の違いに応じて粒材料をそれぞれ異なるボトルに装填でき、簡易に持ち取れるボトルをミル伝動器と瞬時に組み合わせて挽けることにより調理者が必要な調味料を即座に得られ、
ボトルラックの受け部によってボトルをがたつかずに置いて配列でき、ボトルラック底面のくぼみにより下層のボトルを動かないようにし、ボトルを入れてあるボトルラックを連続して重ね置きできるようにして、保管空間を節約するようにしてなることを特徴とするグラインダセット。
【請求項２】
ボトルラック上部にホルダパネルを設置し、ホルダパネルに若干の穴を設け、穴を受け部に対応させてボトルを通し、ボトルをがたつかないようにしてなることを特徴とする請求項１記載のグラインダセット。
【請求項３】
ミル伝動器を有し、ミル伝動器底部内側に凹部を設け、凹部中央に突出して伝動軸コネクタを設け、
少なくとも一つのボトルを有し、粒材料を収容するとともにミル伝動器と接続してグラインダを形成して使用に供し、ボトル内に容室とミルを設け、ミルから上向きに回転軸を伸ばし、回転軸はミル伝動器の伝動軸コネクタと接続してミル伝動器による回転動作を受け、ボトル底部外縁に外側に突出してベース縁を設け、
ボトルラックを有し、ボトルを挿入するものとし、ボトルラック上にＵ型の受け部を若干設け、それぞれの受け部周辺部に挿入溝を設け、挿入溝がボトルベース縁の挿入設置を受けるようにし、ボトルラックの一側面に背板を設け、背板に少なくとも一つの掛け具を設け、
これにより、粒材料の違いに応じて粒材料をそれぞれ異なるボトルに装填でき、簡易に持ち取れるボトルを瞬時にミル伝動器と組み合わせて挽けることにより調理者が必要な調味料を即座に得られ、
ボトル底部のベース縁をボトルラックの挿入溝に挿入設置することよってボトルをがたつかずに置いて配列でき、ボトルラック背板は掛け具によりボトルラックを壁面に掛けることができるようにしてなることを特徴とするグラインダセット。
【請求項４】
ボトルラックの背板の掛け具に吸盤を組み込み、吸盤で壁面に固定できるようにしてなることを特徴とする請求項３記載のグラインダセット。
【請求項５】
ミル伝動器の凹部の内壁に環状凸部を設け、ボトル上にフックを若干設けてミル伝動器の凹部の環状凸部と対応して瞬時に嵌め合わせることができるようにしてなることを特徴とする請求項１或いは３記載のグラインダセット。
【請求項６】
それぞれのボトル上方に対応するボトルキャップを設け、ボトルキャップ内側壁面に環状凸部を設けてボトルのフックと対応しては娶わせることができるようにしてなることを特徴とする請求項１或いは３記載のグラインダセット。
【考案の詳細な説明】
【０００１】
【考案の属する技術分野】
本考案はグラインダセットに関し、特にミル伝動器、少なくとも一つのボトルとボトルラックを有し、ボトルには粒材料（粒状スパイス、粒胡椒、コーヒー豆等）を収容し、ミル伝動器と接続してグラインダを形成して使用し、粒材料の種類に応じて異なるボトルにそれぞれ装填でき、簡易に持ち取れるボトルとミル伝動器とを瞬時に組み合わせて挽くことによって調理者が必要な調味料を即座に得られるグラインダセットに関する。
【０００２】
【従来の技術】
図１に示すように、一般に多く見られるグラインダ１は、ベース１０を設け、ベース１０上にボトル１１を設け、ボトル１１上にキャップ１２を設け、ボトル１１の下部に固定材１３を設置してその固定材１３上に回転軸１４を設け、回転軸１４の下部に接続してミル１５を設け、一方ベース１０内にサイドミル１６を固定して設置し、ミル１５はサイドミル１６の内部に設置されている。使用時にはキャップ１２を開けて破砕対象粒材料（粒胡椒或いは粒状の食用香料或いはコーヒー豆等）をボトル１１内に投入し、キャップ１２を閉めた後、両手でそれぞれベース１０とボトル１１を握り両手を反対方向に回転してサイドミル１６とミル１５の刃が噛み合うことにより、サイドミル１６とミル１５の間の粒材料を粉状に破砕し、ベース１０の下方から落ちるようして、破砕後の粉末で調理、調味する。
【０００３】
【考案が解決しようとする課題】
しかし、公知のグラインダ１はベース１０一つにボトル１１一つを固定して設置して使用しており、他の粒材料を破砕したいときには未破砕の材料を取り出し、グラインダ１内のかすを除去してから他の粒材料をボトル１１に装填しなければ、他の食材を破砕することができない。調理者は粒材料の取り出しと詰め替え、及び清掃に時間を浪費しなければならず、更に、破砕材料の匂いがグラインダ１内に残ったり、隙間やミル刃の間にかすが残ったりして完全に除去できないなど、その後に破砕する食材に匂い移りなどの悪影響が出てしまう。
【０００４】
【課題を解決するための手段】
上記課題を解決するため、本考案はミル伝動器、少なくとも一つのボトルとボトルラックからなるグラインダセットを提供する。粒材料の種類に応じて別々にボトルに装填でき、持ち取り易いボトルとミル伝動器とを瞬時に組み合わせて挽くことにより、調理者は必要な調味料を即座に得られるようにし、且つ得られる破砕粉は風味を損なわない。また、ボトルをボトルラックに配列して置くことにより、収納が便利で場所をとらない。
【０００５】
すなわち、本考案のグラインダセットは、以下の特徴を有する。
１．ミル伝動器を有し、ミル伝動器底部内側に凹部を設け、凹部中心に突出して伝動軸コネクタを設け、
少なくとも一つのボトルを有し、粒材料を収容するとともにミル伝動器と接続してグラインダを形成して使用に供し、ボトル内に容室とミルを設け、ミルから上向きに回転軸を伸ばし、回転軸はミル伝動器の伝動軸コネクタと接続してミル伝動器による回転動作を受け、
ボトルラックを有し、ボトルを置くものとし、ボトルを置ける受け部を若干設置し、ボトルラックの底面には受け部の裏側にあたる位置にくぼみを若干設け、これにより、粒材料の違いに応じて粒材料をそれぞれ異なるボトルに装填でき、簡易に持ち取れるボトルをミル伝動器と瞬時に組み合わせて挽けることにより調理者が必要な調味料を即座に得られ、
ボトルラックの受け部によってボトルをがたつかずに置いて配列でき、ボトルラック底面のくぼみにより下層のボトルを動かないようにし、ボトルを入れてあるボトルラックを連続して重ね置きできるようにして、保管空間を節約するようにしてなることを特徴とする。
２．ボトルラック上部にホルダパネルを設置し、ホルダパネルに若干の穴を設け、穴を受け部に対応させてボトルを通し、ボトルをがたつかないようにしてなることを特徴とする。
３．ミル伝動器を有し、ミル伝動器底部内側に凹部を設け、凹部中央に突出して伝動軸コネクタを設け、
少なくとも一つのボトルを有し、粒材料を収容するとともにミル伝動器と接続してグラインダを形成して使用に供し、ボトル内に容室とミルを設け、ミルから上向きに回転軸を伸ばし、回転軸はミル伝動器の伝動軸コネクタと接続してミル伝動器による回転動作を受け、ボトル底部外縁に外側に突出してベース縁を設け、
ボトルラックを有し、ボトルを挿入するものとし、ボトルラック上にＵ型の受け部を若干設け、それぞれの受け部周辺部に挿入溝を設け、挿入溝がボトルベース縁の挿入設置を受けるようにし、ボトルラックの一側面に背板を設け、背板に少なくとも一つの掛け具を設け、
これにより、粒材料の違いに応じて粒材料をそれぞれ異なるボトルに装填でき、簡易に持ち取れるボトルを瞬時にミル伝動器と組み合わせて挽けることにより調理者が必要な調味料を即座に得られ、
ボトル底部のベース縁をボトルラックの挿入溝に挿入設置することよってボトルをがたつかずに置いて配列でき、ボトルラック背板は掛け具によりボトルラックを壁面に掛けることができるようにしてなることを特徴とする。
４．ボトルラックの背板の掛け具に吸盤を組み込み、吸盤で壁面に固定できるようにしてなることを特徴とする。
５．ミル伝動器の凹部の内壁に環状凸部を設け、ボトル上にフックを若干設けてミル伝動器の凹部の環状凸部と対応して瞬時に嵌め合わせることができるようにしてなることを特徴とする。
６．それぞれのボトル上方に対応するボトルキャップを設け、ボトルキャップ内側壁面に環状凸部を設けてボトルのフックと対応しては娶わせることができるようにしてなることを特徴とする。
【０００６】
本考案の主な特徴として、
ミル伝動器を有し、ミル伝動器底部に凹部を設け、凹部中心に突出して伝動軸コネクタを設け、
少なくとも一つのボトルを有し、粒材料を収容し、ミル伝動器と接続してグラインダを形成して使用に供し、ボトル内には容室を形成するとともにミルを設け、ミルから上向きに回転軸を伸ばし、回転軸とミル伝動器の伝動軸コネクタとを接続して、ミル伝動器による回転動作を受け、
ボトルラックを有し、ボトル配置に供し、ボトルラックに受け部を若干設けてボトルを置くようにし、ボトルラック底面に受け部の裏側に当たる位置にくぼみを若干設ける。
【０００７】
本考案のもう一つの主な特徴として、
ミル伝動器を有し、ミル伝動器底部に凹部を設け、凹部中心に突出して伝動軸コネクタを設け、
少なくとも一つのボトルを有し、粒材料を収容し、ミル伝動器と接続してグラインダを形成して使用に供し、ボトル内には容室を形成するとともにミルを設け、ミルから上向きに回転軸を伸ばし、回転軸とミル伝動器の伝動軸コネクタとを接続して、ミル伝動器による回転動作を受け、ボトル底部外縁に外側に突出してベース縁を設け、
ボトルラックを有し、ボトルを挿入するものとし、ボトルラック上にＵ型の受け部を若干設け、それぞれの受け部周辺部に挿入溝を設け、挿入溝がボトルベース縁の挿入設置を受けるようにし、ボトルラックの一側面に背板を設け、背板に少なくとも一つの掛け具を設ける。
【０００８】
【考案の実施の形態】
本考案の好適な実施例を図に沿って説明する。
図２〜４に示すように、主に
ミル伝動器２を有し、ミル伝動器２の底部に凹部２１を設け、凹部２１の中心から突出して伝動軸コネクタ２２を設け、また凹部２１の内壁に環状凸部２３を設ける。
少なくとも一つのボトル３を有して粒材料を収容するとともにミル伝動器２と接続してグラインダを形成して使用に供し、ボトル３内に容室３０を形成し且つミル３１を設け、ミル３１から上向きに回転軸３１０を伸ばし、回転軸３１０はミル伝動器２の伝動軸コネクタ２２と接続して、回転軸３１０はミル伝動器２の伝動を受けて回転し、ミル３１で粒材料の破砕を行う。ボトル３の上部外側壁にフック３２を若干設け、ミル伝動器２底部凹部２１の環状凸部２３と対応して嵌め合わせるようにし、ボトル３の底部端から外向きに突出してベース縁３３を設ける。また、各ボトル３の上方にキャップ３４を設けられ、キャップ３４の内壁に環状凸部３４０を設け、ボトル３のフック３２と対応して蓋をすることができる。
【０００９】
少なくとも一つのボトルラック４を有し、ボトル３を置く。各ボトルラック４上部にホルダパネル４０を設け、ホルダパネル４０に穴４００を若干設け、穴４００にボトル３を通してボトル３ががたつかないようにできる。ボトルラック４内部の底面に受け部４１を若干設け、受け部４１はボトル３を置きホルダパネル４０の穴４００の位置に対応する。ボトルラック４の底面に受け部４１の裏側に当たる位置にくぼみ４２を若干設ける。
【００１０】
組み合わせて使用する際に、まずボトル３を取り、ボトル３のキャップ３４を取り外し、粒材料（粒胡椒或いは粒状の食用香料或いは調味料、或いはコーヒー豆等）をボトル３の容室３０内に投入し、ボトル３を、ミル３１上の回転軸３１０とミル伝動器２の伝動軸コネクタ２２とを接続し、ボトル３のフック３２とミル伝動器２の環状凸部２３とを嵌め合わせることによりグラインダを形成して使用できるようにし、ミル伝動器２が回転軸３１０を回転させることにより、ミル３１の粒材料に対する破砕作用を生み出す。他の香料の粒材料を破砕したい場合には、もとのボトル３を取り外し、別のボトル３に適量の粒材料を装填した後ミル伝動器２とスピーディに組み合わせれば、別の調味料を即破砕できる。以上のように、粒材料の種類に応じて別々に粒材料を異なるボトル３に装填することができ、簡易に持ち取ることができるボトル３をミル伝動器２と瞬時に組み合わせて挽くことにより、調理者が必要な調味料を即座に得ることができる。また、使用しない時はミル伝動器２をボトル３から取り外し、キャップ３４でボトル３に蓋をした上、ボトル３をボトルラック４に置けばよい。
【００１１】
これらのボトル３を順序よくボトルラック４に並べることができ、ボトルラック４の、穴４００のあるホルダパネル４０によりボトル３を区切ってがたつかなくし、受け部４１がボトル３をしっかり受け、また、ボトルラック４の底面に受け部４１に相対する位置にくぼみ４２を若干設け、ボトル３のキャップ３４にちょうど対応するようにし、ボトル３を若干配列してあるボトルラック４を連続して積み重ねることができるようにし（図４に示す）、且つ定位置に固定して滑らず、保管空間が節約できる。
【００１２】
図５、６に示すように、本考案のもう一つの実施例では、同様に
ミル伝動器２、ボトル３及びボトルラック５を有し、うちミル伝動器２及びボトル３の構造は前述の一実施例と同様であるが、ボトルラック５はＬ型を呈し、ボトルラック５にＵ型の受け部５０を若干設け、それぞれの受け部５０周辺部に挿入溝５００を設け、挿入溝５００がボトル３底部端のベース縁３３の挿入設置を受けるようにし、ボトルラック５の直立する一側を背板５１とし、背板５１に掛け具５１０を若干設け、ボトルラック５を壁面に掛けることができるようにしまた或いは、掛け具５１０に吸盤６を組み込み、ボトルラック５を壁面に吸着固定できるようにしている。
【００１３】
【考案の効果】
本考案によれば、粒材料の種類に応じて異なるボトルにそれぞれ装填でき、簡易に持ち取れるボトルとミル伝動器とを瞬時に組み合わせて挽くことによって調理者が必要な調味料を得られ、調味料の風味も損なわれない。また、ボトルとボトルラックの形状を対応させており、ボトルが安定し、保管に要する空間が節約される。
【図面の簡単な説明】
【図１】公知のグラインダの構造図である。
【図２】本考案のミル伝動器及びボトルの立体図である。
【図３】本考案のボトル及び第一実施例のボトルラックの構造図である。
【図４】本考案のボトルを配列した第一実施例のボトルラックを積み重ねた場合の略図である。
【図５】本考案の第二実施例のボトルラック及びボトルの構造図である。
【図６】本考案の第二実施例のボトルラックの側面図である。
【符号の説明】
１　　　グラインダ
１０　　ベース
１１　　ボトル
１２　　キャップ
１３　　固定材
１４　　回転軸
１５　　ミル
１６　　サイドミル
２　　　ミル伝動器
２１　　凹部
２２　　伝動軸コネクタ
２３　　環状凸部
３　　　ボトル
３０　　容室
３１　　ミル
３１０　回転軸
３２　　フック
３３　　ベース縁
３４　　キャップ
３４０　環状凸部
４　　　ボトルラック
４０　　ホルダパネル
４００　穴
４１　　受け部
４２　　くぼみ
５　　　ボトルラック
５０　　受け部
５００　挿入溝
５１　　背板
５１０　掛け具
６　　　吸盤
【図１】
0003097607.tif 000003
【図２】
0003097607.tif 000004
【図３】
0003097607.tif 000005
【図４】
0003097607.tif 000006
【図５】
0003097607.tif 000007
【図６】
0003097607.tif 000008